(57)【要約】【課題】  複数の光源を輝度調整するとともに、各光源を点灯／消灯させる照明装置において、部品点数を低減して回路構成を簡略化できる照明装置を提供する。    【解決手段】  複数の光源１と、光源１の点灯／消灯をそれぞれ制御するためのデータ信号と、光源１を制御する際のパルス幅を変調するためのＰＷＭ信号と、を生成し出力する制御手段２と、制御手段２からの前記データ信号、及び前記ＰＷＭ信号を入力し、これら信号に基づいて、光源１を駆動するための駆動信号を光源１に出力するシフトレジスタ３と、を備えてなる。【選択図】  図１
2009152158.tif 000002
【特許請求の範囲】
【請求項１】
複数の光源と、
前記光源の点灯／消灯をそれぞれ制御するためのデータ信号と、前記光源を制御する際のパルス幅を変調するためのＰＷＭ信号と、を生成し出力する制御手段と、
前記制御手段からの前記データ信号、及び前記ＰＷＭ信号を入力し、これら信号に基づいて、前記光源を駆動するための駆動信号を前記光源に出力するシフトレジスタと、
を備えてなることを特徴とする照明装置。
【請求項２】
前記シフトレジスタは、前記制御手段からの前記ＰＷＭ信号に基づいて、前記光源への前記駆動信号の出力について許可／禁止を繰り返すことによって前記光源の輝度調整をしてなることを特徴とする請求項１に記載の照明装置。
【発明の詳細な説明】
【技術分野】
【０００１】
本発明は、照明装置に関し、特に、シフトレジスタを用いて輝度調整する照明装置に好適である。
【背景技術】
【０００２】
従来の照明装置は、例えば、車両用として備えるものがあり、速度計の照明の他にも、前照灯がハイビーム状態のときにその旨を表示するインジケータの照明や、燃料の残量が所定しきい値以下になったことを表示する警報の照明などを行うために複数の光源を用いたものがあり、例えば、特許文献１に開示される。
【特許文献１】特開平２００４−３２５３２４号公報
【発明の開示】
【発明が解決しようとする課題】
【０００３】
しかしながら、これら照明装置においては、ＰＷＭ（パルス幅変調）駆動により輝度を調整し、かつ複数の光源をそれぞれ点灯／消灯させるためのトランジスタが光源毎に必要となるなど、部品点数が多く、回路構成が複雑になってしまうといった問題点があった。
【０００４】
そこで本発明の目的とするところは、上述した問題点に着目してなされたものであって、複数の光源を輝度調整するとともに、各光源の点灯／消灯を制御する照明装置において、部品点数を低減して回路構成を簡略化できる照明装置を提供することにある。
【課題を解決するための手段】
【０００５】
本発明の照明装置は、請求項１に記載したように、複数の光源と、前記光源の点灯／消灯をそれぞれ制御するためのデータ信号と、前記光源を制御する際のパルス幅を変調するためのＰＷＭ信号と、を生成し出力する制御手段と、前記制御手段からの前記データ信号、及び前記ＰＷＭ信号を入力し、これら信号に基づいて、前記光源を駆動するための駆動信号を前記光源に出力するシフトレジスタと、を備えてなることを特徴とする。
【０００６】
また、請求項２に記載したように、請求項１に記載の照明装置において、前記シフトレジスタは、前記制御手段からの前記ＰＷＭ信号に基づいて、前記光源への前記駆動信号の出力について許可／禁止を繰り返すことによって前記光源の輝度調整をしてなることを特徴とする。
【発明の効果】
【０００７】
本発明は、複数の光源を輝度調整するとともに、各光源の点灯／消灯を制御する照明装置において、部品点数を低減して回路構成を簡略化できる。
【発明を実施するための最良の形態】
【０００８】
以下、本発明が適用された実施の形態について添付図面を用いて説明する。
【０００９】
図１は、本発明の一実施例であり、車両用計器に用いられる照明装置の電気的構成を示すブロック図である。照明装置は、光源１と、制御手段２と、シフトレジスタ３と、を回路基板上に備えている。
【００１０】
光源１は、発光ダイオードを適用でき、複数個用意されており、それぞれの一端側に設けられるシフトレジスタ３と接続されている。また、光源１は、他端側において、光源１毎に設けられる所定の抵抗体を介して電源と接続されている。なお、光源１は、車両用計器の警告灯や、シフトポジション表示など各種機能の動作状態を示すインジケータ表示などの照明光源として用いられる。
【００１１】
制御手段２は、マイクロコンピュータを適用でき、ＣＡＮ（Ｃｏｎｔｒｏｌｌｅｒ  Ａｒｅａ  Ｎｅｔｗｏｒｋ）通信ケーブルや図示しないイグニションスイッチ等の機器などと接続され、車両の各種情報等を入力し、この信号に応じて各光源１を制御するための制御信号を生成し、シフトレジスタ３へ出力する。また、制御手段２は、各種情報に基づいて演算処理するためのＣＰＵと、このＣＰＵにおける演算処理結果等を一時的に格納する読出しおよび書換え可能なＲＡＭや、制御プログラムや制御データを格納したＲＯＭから構成される記憶部と、前記各種情報や制御信号、クロック信号やラッチ信号などをやり取りするためにバス接続された入出力インターフェイスと、を備えている。
【００１２】
また、制御手段２は、別途設けられる輝度調整手段からの調整に基づいて、所定のデューティ比の矩形波からなり、光源１を制御する際のパルス幅を変調するためのＰＷＭ信号によって、光源３の輝度を調整することができる。また、制御手段２は、各種情報に基づいて、シフトレジスタ３に接続されたすべての光源１に対してそれぞれ点灯／消灯を制御するためのデータ信号を生成し出力している。
【００１３】
シフトレジスタ３は、カスケード接続可能なドライバＩＣを適用でき、制御手段２からの制御信号（前記データ信号、及び前記ＰＷＭ信号）を受けて、光源１をそれぞれ駆動するための駆動信号を生成し出力する回路である。シフトレジスタ３は、制御手段２から出力される制御信号の他に、クロック信号などの信号を入力するためのポートや、前記データ信号や前記駆動信号を出力するためのポートを設けている。
【００１４】
なお、この場合、シフトレジスタ３は、前記ＰＷＭ信号をイネーブルポートから入力し、光源１を点灯させる駆動信号の出力の許可／禁止を、前記ＰＷＭ信号に基づいて切り換えることによって、光源１の点灯時間をコントロールできる。この点灯時間によって、光源１から出力される輝度を調整することができる。
【００１５】
また、図１の点線に示すように、シフトレジスタを、前記データ信号の入出力ポート等を介してカスケード接続することによって、更に多くの光源を制御することができる。この場合、制御手段２は、光源１と別に設けられる光源１０に接続されたシフトレジスタ３０へ出力するＰＷＭ信号を別途生成し出力することによって、光源１群に対して別の輝度調整値（デューティ比）によって、光源１０群を制御することもできる。
【００１６】
斯かる照明装置は、複数の光源１と、光源１の点灯／消灯をそれぞれ制御するためのデータ信号と、光源１を制御する際のパルス幅を変調するためのＰＷＭ信号と、を生成し出力する制御手段２と、制御手段２からの前記データ信号、及び前記ＰＷＭ信号を入力し、これら信号に基づいて、光源１を駆動するための駆動信号を光源１に出力するシフトレジスタ３と、を備えてなる。
【００１７】
従って、複数の光源１を輝度調整するとともに、各光源１を点灯／消灯させる照明装置において、光源１毎に、輝度調整用のトランジスタ等の電子部品を実装する必要がなく、照明装置としての回路基板に実装される部品点数を低減して、回路構成を簡略化できる照明装置となる。
【００１８】
また、シフトレジスタ３は、制御手段２からの前記ＰＷＭ信号に基づいて、光源１への前記駆動信号の出力について許可／禁止を繰り返すことによって光源１の輝度調整をしてなる。
【００１９】
従って、複数の光源１を輝度調整するとともに、各光源１を点灯／消灯させる照明装置において、シフトレジスタ３のイネーブルポートを利用することによって、光源１毎に、輝度調整用のトランジスタ等の電子部品を実装する必要がなく、照明装置としての回路基板に実装される部品点数を低減して、回路構成を簡略化できる照明装置となる。
【００２０】
なお、本発明の照明装置を上述した実施の形態の構成にて例に挙げて説明したが、本発明はこれに限定されるものではなく、他の構成においても、本発明の要旨を逸脱しない範囲において種々の改良、並びに設計の変更が可能なことは勿論である。
【図面の簡単な説明】
【００２１】
【図１】本発明の実施の形態の構成を示すブロック図。
【符号の説明】
【００２２】
１  光源
２  制御手段
３  シフトレジスタ
【図１】
2009152158.tif 000003